(57)【特許請求の範囲】
【請求項１】
機体の外郭をなす外枠と、該外枠の前面側に対して開閉自在に組み付けられた中枠と、該中枠の前面側に対して開閉可能に組み付けられて機体の前面に配置される前枠と、を備えた遊技機において、
該前枠の枠本体の前面側には、枠本体の上部及び左右両側に亘って、内部が中空状をなすように膨出して形成された第１膨出部が設けられ、
前記第１膨出部の前面側上部には、前記第１膨出部の前面側上部を覆い、且つ、内部が中空状をなすように膨出して形成された第２膨出部が設けられ、
前記第１膨出部内は、前記第１膨出部の内面と、枠本体の前面により、エンクロージャ構造が形成されており、
前記第１膨出部の左右両側に、中高音用スピーカユニット及び中低音用スピーカユニットが、その前面部を機表側に向けると共に、当該前面部を第１膨出部の前面の内側に装着するようにしてそれぞれ取り付けられ、
前記中高音用スピーカユニットは、前記第１膨出部において前記中低音用スピーカユニットよりも上方に配設され、
前記第２膨出部内には、発光演出を行う発光ランプが取り付けられており、
前記第１膨出部には、前記中高音用スピーカユニットの前面部と前記中低音用スピーカユニットの前面部に対応する位置にそれぞれ音放出口が形成されているとともに、前記第２膨出部には、バスレフポートが開口形成されており、
前記バスレフポートには、第２膨出部の内部を通過して、第１膨出部内に連通する管状のバスレフダクトが設けられている遊技機。
【発明の詳細な説明】
【０００１】
【発明の属する技術分野】
本発明は、遊技機に関するものである。
【０００２】
【従来の技術】
一般に、パチンコ機等の遊技機においては、遊技機の機内部に、各種遊技状態に応じて様々な効果音（入賞音等）を発するための遊技機用スピーカ装置が装備されている。即ち、遊技機において機体の外郭をなす外枠内には、遊技盤の搭載枠とも称される中枠（内枠ともいう）が設置され、この中枠の前面側下部に前記スピーカ装置は配設されている。ところで、このスピーカ装置が配設される中枠の前面側下部には、機表側の上球皿及び下球皿へ機裏側の球払出装置から遊技球を夫々排出するための各球排出口が形成される他に、発射レール等も配設される。そのため、前記スピーカ装置の配設スペースは限られたものとされ、その結果、前記スピーカ装置には、従来から、小型のスピーカユニットが使用されていた。
【０００３】
その一方、近時においては、遊技機における興趣を高める一環として、スピーカ装置から発せられる音の高音質化が希求されている。しかし、前述したような小型のスピーカユニットでは、いくらスピーカユニットの性能が年々向上しているとはいえ、その特性上、低音の迫力が十分ではなく、その音質は、決して遊技者を満足させるものではなかった。
【０００４】
そこで、このような事情に鑑みて、例えば特開平８−１９６３８号公報に示すようなスピーカシステムが提案されている。即ち、この公報に記載のスピーカシステムでは、遊技機の機内部にではなく、スペース的に比較的余裕がある遊技機の機外後方にスピーカユニットを収容したスピーカボックスを配設する構成としている。そして、遊技機における中枠を前後方向へ貫通するように形成されたダクトを介して前記スピーカユニットからの効果音等を機表側に形成された音放出口から放出するようにしている。従って、この公報に記載のスピーカシステムによれば、スピーカユニットを機内部に装備しないため、スピーカユニットの大型化を実現でき、再生帯域を広げることで高音質化を図ることも可能とされていた。
【０００５】
【発明が解決しようとする課題】
しかしながら、上記公報に記載のスピーカシステムでは、スピーカユニットを収容するスピーカボックスが遊技機の機外後方に遊技機とは別体の構成で配設されているため、次のような問題があった。即ち、遊技機において機外後方に面する機裏側には、各種の制御基板及び球払出装置等の遊技機構成部材が配設されている。そして、これらの遊技機構成部材については、定期・不定期を問わず、頻繁に部材交換等のメンテナンス作業を行うことがある。そのため、前述したように、遊技機の機外後方に遊技機とは別体構成のスピーカボックスが配設されていると、遊技機における機裏側のメンテナンス作業がしづらいという問題があった。
【０００６】
本発明は上記問題点を解決するためになされたものであり、その目的は、遊技機における機裏側のメンテナンス作業に支障を与えることなく、当該遊技機が備えるスピーカ装置の高音質化を図ることができる遊技機を提供することにある。
【０００７】
【課題を解決するための手段】
上記問題点を解決するために、請求項１に記載の発明は、機体の外郭をなす外枠と、該外枠の前面側に対して開閉自在に組み付けられた中枠と、該中枠の前面側に対して開閉可能に組み付けられて機体の前面に配置される前枠と、を備えた遊技機において、該前枠の枠本体の前面側には、枠本体の上部及び左右両側に亘って、内部が中空状をなすように膨出して形成された第１膨出部が設けられ、前記第１膨出部の前面側上部には、前記第１膨出部の前面側上部を覆い、且つ、内部が中空状をなすように膨出して形成された第２膨出部が設けられ、前記第１膨出部内は、前記第１膨出部の内面と、枠本体の前面により、エンクロージャ構造が形成されており、前記第１膨出部の左右両側に、中高音用スピーカユニット及び中低音用スピーカユニットが、その前面部を機表側に向けると共に、当該前面部を第１膨出部の前面の内側に装着するようにしてそれぞれ取り付けられ、前記中高音用スピーカユニットは、前記第１膨出部において前記中低音用スピーカユニットよりも上方に配設され、前記第２膨出部内には、発光演出を行う発光ランプが取り付けられており、前記第１膨出部には、前記中高音用スピーカユニットの前面部と前記中低音用スピーカユニットの前面部に対応する位置にそれぞれ音放出口が形成されているとともに、前記第２膨出部には、バスレフポートが開口形成されており、前記バスレフポートには、第２膨出部の内部を通過して、第１膨出部内に連通する管状のバスレフダクトが設けられていることを要旨とする。
【００１０】
【発明の実施の形態】
（第１実施形態）
以下、本発明をパチンコ遊技機（以下、「遊技機」という）における遊技機用スピーカシステムに具体化した第１実施形態を図１〜図５に従って説明する。
【００１１】
図１に略示するように、本実施形態に係る遊技機１０は機体の外郭をなす正面視縦矩形枠状の外枠１１を備えている。そして、この外枠１１の開口前面側には複数種の遊技機構成部材を搭載セットした縦長方形状の中枠１２が開閉及び着脱自在に組み付けられている。中枠１２の前面側には、機内部に配置された遊技盤１３を透視保護するためのガラス枠を備えた前枠１４が横開き状態で開閉可能に組付け整合されており、この前枠１４の下側には、上球皿１５が中枠１２に対して横開き状態で開閉可能に組付け整合されている。また、中枠１２の前面側において、前記上球皿１５の組み付け整合領域よりも下方には、打球発射装置１６と下球皿１７が装着されている。
【００１２】
前記前枠１４は、中枠１２の正面左側縁の上下部に配置された開閉連結支持具３１にて支持されており、全体が合成樹脂にて形成されている。そして、その基本的な構成をなす枠本体３２は方形箱蓋状に形成されており、枠本体３２の中央部には窓口３３が形成されている。前記窓口３３は遊技盤１３の遊技領域に適した広さのほぼ円形状とされており、ゲーム領域全体を好適に見通し得るようになっている。また、枠本体３２の裏側には、板ガラスを備えたガラス枠（図示しない）が装着されている。
【００１３】
図３に示すように、前記枠本体３２の前面側には、当該枠本体３２の上部及び左右両側部に亘って窓口３３を囲むように膨出部３４が設けられている。前記膨出部３４は前面側に膨出するように形成されており、第１膨出部３４ａと第２膨出部３４ｂとから構成されている。前記第１膨出部３４ａは、枠本体３２の上部及び左右両側部に亘って、正面視逆Ｕ字状をなすように連続形成されている。第２膨出部３４ｂは、第１膨出部３４ａの前面側に設けられており、当該第１膨出部３４ａの上部前面側を全体的に覆うように形成されている。また、この第２膨出部３４ｂは、有色（例えば赤色）且つ透過性を有する合成樹脂にて形成されている。なお、本実施形態では、図５に示すように、枠本体３２の裏面は平面状に形成され、前枠１４は、枠本体３２の前面側のみが膨出した形態とされている。
【００１４】
図２，図４（ａ），図４（ｂ）及び図５に示すように、第１及び第２膨出部３４ａ，３４ｂは、それぞれ、その内部が全体に亘って中空状をなすように形成されており、図２及び図５に略示すように、第１膨出部３４ａ内は、正面視逆Ｕ字状をなす第１膨出部３４ａの内面と枠本体３２の前面により、箱体形状のエンクロージャＥが形成されている。本実施形態においては、エンクロージャＥ（第１膨出部３４ａの内部全体）がスピーカ収容部に相当する。
【００１５】
また、図１及び図４（ａ）に示すように、前記第２膨出部３４ｂの内部において、左右両側には、発光ランプ３６が設けられている。この発光ランプ３６は、図示しないランプ基板に実装された状態で第１膨出部３４ａの上部前面側に取着され、第２膨出部３４ｂの内側に配置されている。従って、透過性を有する第２膨出部３４ｂは、発光ランプの発光演出を遊技者に視認可能とさせるランプレンズの機能を果たしている。
【００１６】
前記第１膨出部３４ａの前面側であって、窓口３３を挟んだ左右両側部における下端部近傍には多数の小孔からなる第１音放出口１９がそれぞれ形成されている。また、枠本体３２の上部に位置する第２膨出部３４ｂの前面側であって、その中央部には、多数の小孔からなる第２音放出口２０がエンクロージャＥのバスレフポートとして機能するように形成されている。なお、図４及び図５に示す前枠１４の断面図において、前記第１及び第２音放出口１９，２０は図示略されている。
【００１７】
そして、前記エンクロージャＥ内には、各第１音放出口１９に対応するように平板状をなす平面形スピーカユニット（以下、単に「スピーカユニット」という）２３が配設されている。この結果、第１膨出部３４ａ全体でスピーカ装置Ｓを構築している。ここで、前枠１４に膨出形成された第１膨出部３４ａは、遊技機構成部材が多く配設された中枠１２の前面側下部よりも、スペース的な制約をそれほど受けることがない。従って、前記したような平面形スピーカユニット２３を用いた場合には低域再生帯域が広い比較的大型のスピーカを採用することができ、スピーカ装置Ｓからは高音質の音声を再生出力可能になる。なお、前枠１４の左右両側に設けられる第１音放出口１９、スピーカユニット２３は共に同一構成とされている。また、以下の説明においては「スピーカユニット」のことを「スピーカ」ともいう。
【００１８】
前記スピーカ２３は中音及び高音を好適に再生可能な中高音用スピーカユニットであり、その前面部（振動板のある側）が前記第１音放出口１９に位置合わせされた状態で第１膨出部３４ａの内面側に装着されている。そのため、前記スピーカ２３の前面部は第１音放出口１９を介して遊技機１０外部の大気と直接接触していることになり、スピーカ２３からの再生音を篭もらせることなく、高音質にして再生出力できる。
【００１９】
また、図４（ａ）及び図５に示すように、エンクロージャＥ内の上部中央には筒状をなし、第２膨出部３４ｂ内を通過して前記第２音放出口２０に連なるバスレフダクト（共鳴管ともいう）２７が形成されている。そのため、前記スピーカ２３の背面部からの音声が直接バスレフダクト２７及び第２音放出口２０を介して遊技機１０外部の大気中に出力されることになり、バスレフダクト２７を介して出力される音声を篭もらせることなく、高音質にして出力できる。
【００２０】
従って、このスピーカ２３が第１膨出部３４ａの内面側に装着された状態において、エンクロージャＥ（スピーカ収容部）は、バスレフポートたる第２音放出口２０に連通するバスレフダクト２７が内部に形成されたバスレフ型エンクロージャ構造をなしている。なお、このようなバスレフ型エンクロージャ構造のエンクロージャＥ（スピーカ収容部）にスピーカユニットを内包した形態のスピーカ装置のことを、一般に、バスレフ形スピーカ（位相反転形スピーカ）と呼んでいる。そして、本実施形態では、前記スピーカ装置Ｓをバスレフ形スピーカ（位相反転形スピーカ）として構成している。
【００２１】
次に、上記のように構成した本実施形態に係る遊技機１０の作用を説明する。
さて、この遊技機１０を遊技場等に設置する際には、まず外枠１１が設置枠台（図示略）上に立設された後、前枠１４、上球皿１５等の遊技機構成部材を搭載する中枠１２が外枠１１に対して組み付け整合される。このとき、スピーカ装置Ｓは前枠１４に形成された第１膨出部３４ａの内部に構築されているため、遊技機１０と共に持ち運びされる。従って、高品質の音声を提供するためにスピーカシステムが遊技機１０と別体にされていた従来と比較して、設置作業が簡便に行われる。
【００２２】
そして、この遊技機１０の使用状態においては、当該遊技機１０において入賞等の所定遊技状態が発生すると、図示しない音声制御基板から出力される音声制御信号に基づいて前記両スピーカ装置Ｓから様々な効果音が再生出力される。そして、その効果音等の再生出力に際して、バスレフ型スピーカとして構成されたスピーカ装置Ｓからは、音質の良い再生音の出力が可能とされる。
【００２３】
また、遊技機１０の裏面側のメンテナンス作業に際しては、高品質の音声出力のために、機外後方に別体構成のスピーカボックスが配設された従来と異なり、遊技機１０の前面側に位置する前枠１４に設けられたスピーカ装置Ｓが、メンテナンス作業に支障を与えることもない。
【００２４】
ここで、スピーカの特性について説明すると、スピーカは、振動板が前に動くと正面（前面）の空気密度が高くなると同時に背面（後面）の空気密度が低くなり、反対に、振動板が後に動くと背面の空気密度が高くなると同時に正面の空気密度が低くなる。また、スピーカの正面（前面）から出る音と背面（後面）から出る音とは双方の音の位相において１８０度のずれがあり、正面からの音の位相を正相とした場合、背面からの音の位相は逆相になる。そのため、スピーカの前後の空気を隔離する構造体（バッフル板）がないと、特に高音に比して指向性の鈍い低音は、その音波がスピーカの周囲を往復するだけで前方へ進まない。その結果、そのようなスピーカでは、正面から出た正相の低音と背面から出た逆相の低音とが打ち消し合うことになり、高音ばかりが強調されて低音がはっきり聞こえないという状況を招いてしまう。
【００２５】
そこで、そのような状況を招来しないために、通常、スピーカ装置が構築される場合には、スピーカの前後の空気を隔離する構造体（バッフル板）が当該スピーカのエンクロージャとして設けられる。ここに「エンクロージャ」とはスピーカユニットが装着される構造体のことをいうが、必ずしも完全な箱体形状の構造体のみを意味しない。即ち、スピーカの正面から出た正相の低音と背面から出た逆相の低音との打ち消し合いを防ぐことが可能な構造体であれば、平板状のバッフル板や、そのようなバッフル板の角を後へ曲げた形の背面開放型キャビネット形態のものも、本明細書中における「エンクロージャ」の技術的概念には含まれるものである。そして、かかるスピーカの特性を考慮して構成された前記スピーカ装置Ｓは、スピーカ収容部（エンクロージャＥ）が箱体形状のエンクロージャ構造をなしているため、次のような機能を発揮する。
【００２６】
すなわち、まず、箱体形状のエンクロージャＥを備えたスピーカ装置Ｓは、中高音用のスピーカ２３しか設けられていないにも関わらず、中高音域のみならず第２音放出口２０から低音域の再生をも確実に図ることができる。また、エンクロージャＥ内に配設されるスピーカ２３を平面形スピーカユニットとしたため、例えば、コーン形スピーカと比較して、その設置スペースを必要としない。従って、エンクロージャＥ（スピーカ収容部）の容量を大きく確保でき、より迫力ある低音の出力に寄与する。
【００２７】
また、スピーカ装置Ｓのようなバスレフ形スピーカは、音波が空洞（つまり、エンクロージャＥ（スピーカ収容部）の容積）と筒（即ち、バスレフダクト）で共鳴する現象を利用し、スピーカの背面からの音を空洞と筒で共鳴させることにより低音域の量感を補うようにしたスピーカである。そのため、エンクロージャＥが密閉型エンクロージャ構造の密閉型スピーカよりも低音の量感が得やすく、低音増強用には好適なスピーカとされている。従って、迫力ある低音の再生でき、その一方で、低音用のスピーカを設けることなく低音増強ができるため、前枠１４が大型化することはない。
【００２８】
さらに、前枠１４の上部及び左右両側部に亘って連続形成された中空状の第１膨出部３４ａ内を全てエンクロージャＥとしたため、例えば、前枠１４の左又は右側部だけに、エンクロージャを形成する場合と比較して、適正容量に近づくように容量が大きなエンクロージャＥとされる。このため、より迫力ある低音を出力することができる。
【００２９】
従って、上記実施形態によれば、以下のような効果を得ることができる。
（１）スピーカ装置Ｓにおいてスピーカ収容部を構成するエンクロージャＥを、前枠１４に形成された第１膨出部３４ａ内に形成し、このエンクロージャＥ内にスピーカユニット２３を配設した。遊技機構成部材が多く配設された中枠１２の前面側下部における設置部位よりも、前枠１４に膨出形成された第１膨出部３４ａは、スペース的な制約をそれほど受けることがない。従って、スピーカ装置Ｓにおけるスピーカユニット２３には低域再生帯域が広い比較的大型のスピーカを採用することができ、スピーカ装置Ｓからは高音質の効果音等を再生出力することができる。
【００３０】
（２）しかも、スピーカ２３を有するエンクロージャＥは、上記したように、前枠１４に設けられているため、低音部の増強を図りつつも、従来とは異なり、遊技機１０の機裏側において頻繁に行われる基板交換等のメンテナンス作業に支障を与えることもない。
【００３１】
（３）また、スピーカ装置Ｓでは、スピーカ２３の正面から出る音と背面から出る音とが打ち消し合うことを防止する構造体（バッフル板）として、内部が中空状の第１膨出部３４ａにより形成され、箱体形状をなすエンクロージャＥを採用しているため、スピーカ装置Ｓからは中高音域のみならず低音域の再生をも確実に図ることができる。
【００３２】
（４）さらに、エンクロージャＥは、前枠１４の上部及び左右両側部に亘って連続形成された第１膨出部３４ａ内全体を連通するように形成されているため、例えば前枠１４の左右両側部にそれぞれ膨出部及びエンクロージャを形成し、スピーカ装置Ｓを構築する場合と比較して、エンクロージャＥ（スピーカ収容部）の容量を適正容量に近づくように大きくでき、より迫力のある低音を再生できる。
【００３３】
（５）また、スピーカ装置Ｓはスピーカ２３の前面部からの音声が第１音放出口１９を介して、またスピーカ２３の後面部からの音声がバスレフダクト２７及び第２音放出口２０を介して、それぞれ遊技機１０外部の大気中に直接出力される構成とされている。従って、各スピーカ装置Ｓからは再生音を篭もらせることなく、更に高音質にして再生出力できる。
【００３４】
（６）加えて、バスレフ型スピーカとして構成されたスピーカ装置Ｓでは、エンクロージャＥに第２音放出口２０に連なるバスレフダクト２７が形成されている。そのため、当該バスレフダクト２７内及びエンクロージャＥ内でスピーカ２３の背面から出た音を共鳴させて低音域の量感を補うことができ、迫力ある低音の再生ができる。
【００３５】
（７）また、エンクロージャＥ内に配設されるスピーカ２３を平面形スピーカユニットにて構成した。例えばコーン型スピーカと比較して平面形スピーカは、設置スペースを必要としないため、その分だけエンクロージャＥ（スピーカ収容部）の容量を大きく確保することができる。このため、より迫力ある低音を響かせることができる。
【００３６】
（第２実施形態）
次に、本発明の第２実施形態を図６に従って説明する。なお、この第２実施形態はスピーカ装置ＳにおけるエンクロージャＥの具体的構成においてのみ第１実施形態と相違するものであり、その他の構成は第１実施形態の場合と同じである。従って、以下の説明においては、第１実施形態との相違部分を中心に説明することとし、その他の部分については第１実施形態と同一の符号を付すことにより重複した説明は省略する。
【００３７】
さて、本実施形態に係る遊技機１０（図１参照）は、前枠１４の第１膨出部３４ａ内にバスレフ型スピーカとして構成されたスピーカ装置Ｓをそれぞれ備えている。スピーカ装置Ｓは、図６に示すように、第１膨出部３４ａの内面及び枠本体３２の前面により形成されたエンクロージャＥをスピーカ収容部とし、エンクロージャＥ内における窓口３３を挟んだ左右両側部に中高音用スピーカユニットである平面形スピーカ２３を配設している。なお、図６には図示されていないが、第１膨出部３４ａにおけるスピーカ２３の前面部と対応する位置には第１音放出口１９が形成されている。また、エンクロージャＥの上部中央位置には、筒状をなすバスレフダクト２７が設けられている。そして、図示はしないが、前記第２膨出部３４ｂにおけるバスレフダクト２７と対応する位置には、前記バスレフダクト２７に連なり、バスレフポートとして機能する第２音放出口２０が形成されている。
【００３８】
さらに、スピーカ装置ＳのエンクロージャＥ内の左右両側部において、各スピーカ２３の上方近傍には、区画壁２２により延長屈折した迷路状のダクト構造をなすバスレフダクト３７が形成されている。前記第１音放出口１９の上方位置であって第１膨出部３４ａの前面側には、バスレフポートとして機能する第３音放出口（図示しない）が形成されており、前記バスレフダクト３７は、前記スピーカ２３の背面近傍位置から、当該第３音放出口まで連なっている。
【００３９】
一般に、バスレフダクトの全長が長い方が、低域再生帯域（低音の再生限界周波数）が低く設定できることが知られている。従って、延長屈折した迷路状のダクト構造をなすバスレフダクト３７により、当該バスレフダクト２７の全長Ｌが長くされ、低音増強を好適に図ることができる。
【００４０】
従って、本実施形態においては前記第１実施形態における（１）〜（７）の各効果と同様の効果を奏する他、バスレフダクト３７は延長屈折した迷路状のダクト構造をなしているため、バスレフダクト３７の全長を長く確保できる。従って、バスレフ型スピーカにあって低音増強の図れる低域再生帯域（低音の再生限界周波数）をさらに低域までのばすことができ、より迫力のある所謂重低音を響かせることができる。
【００４１】
（第３実施形態）
次に、本発明の第３実施形態を図７に従って説明する。なお、この第３実施形態についても前述した第１実施形態と相違する部分を中心に説明することとし、その他の部分については第１実施形態と同一の符号を付すことにより重複した説明は省略する。
【００４２】
さて、本実施形態に係る遊技機１０（図１参照）は、前枠１４の第１膨出部３４ａ内にバスレフ型スピーカとして構成されたスピーカ装置Ｓをそれぞれ備えている。スピーカ装置Ｓは、図７に示すように、第１膨出部３４ａの内面及び枠本体３２の前面により形成されたエンクロージャＥをスピーカ収容部とし、エンクロージャＥ内における窓口３３を挟んだ左右両側部には、第１スピーカユニット２３と第２スピーカユニット２５とが一対となってそれぞれ配設されている。第１スピーカユニット２３は、前記第１，第２実施形態における「平面形スピーカユニット２３」と同じ中高音用の平面形スピーカユニットである。
【００４３】
第２スピーカユニット２５も、平面形スピーカユニットであり、第１スピーカユニット２３よりも再生帯域が低い中低音用のスピーカユニットが使用されている。そして、この第２スピーカユニット２５は、中低音を好適に出力するために第１スピーカユニット２３よりも長尺状に形成されている。このような第２スピーカユニット２５が配設可能とされるのも、中枠１２の前面側下部と比較して、スペース的に規制を受けづらい前枠１４の第１膨出部３４ａ内にスピーカ収容部を設けたことによる。また、エンクロージャＥ内においては、第１スピーカユニット２３の上方に第２スピーカユニット２５が配置されている。そして、図示はしないが、第１膨出部３４ａにおける第１スピーカユニット２３の前面部と対応する位置には第１音放出口１９が形成される。また、第２スピーカユニット２５の前面部と対応する位置には多数の小孔からなる第４音放出口（図示しない）が形成されている。なお、第１スピーカユニット２３は第２スピーカユニット２５の下方に配置してもよい。
【００４４】
また、エンクロージャＥの上部中央位置には、筒状をなすバスレフダクト２７が設けられている。そして、図示はしないが、前記第２膨出部３４ｂにおけるバスレフダクト２７と対応する位置には、前記バスレフダクト２７に連なり、バスレフポートとして機能する第２音放出口２０が形成されている。
【００４５】
従って、本実施形態においては前記第１実施形態における（１）〜（７）の各効果と同様の効果を奏する他、第２スピーカユニット２５として中低音用のスピーカユニットを設けたことにより、スピーカ装置Ｓを低音から中高音まで全音域に亘って高音質な再生出力ができるマルチウェイタイプのスピーカシステムとして構築できる。
【００４６】
なお、上記各実施形態は以下のような別例に変更して具体化してもよい。
・  前記各実施形態では、第１音放出口１９を多数の小孔にて構成したが、スピーカユニット２３の前面部を直接大気に接触できるならば、第１音放出口１９の形成態様は小孔に限らない。また、バスレフポートとして機能する第２音放出口２０の形成態様についても同様である。
【００４７】
・  前記第２実施形態では、第２エンクロージャＥ２内に形成されるバスレフダクト２７を延長屈折した迷路状のダクト構造をなすように形成したが、バスレフダクトの幅員がバスレフポート音放出口に近づくほど増加してホーン状のダクト構造をなす所謂バックロードホーン型のバスレフダクトに変更してもよい。
【００４８】
・  前記第１及び第２実施形態において、中高音用スピーカユニット２３の代わりに、高音用スピーカユニットと中音用スピーカユニットを別々に設けてもよい。このようにすれば、高品質な低音の再生音を出力できるのは勿論、高音及び中音のそれぞれの再生音を高品質に保つことができる。この場合、高音用スピーカユニットと中音用スピーカユニットとで中高音用スピーカユニットが構成される。
【００４９】
・  前記各実施形態では、前枠１４の左右両側部に設けられるスピーカ２３を同一構成としたが、例えば、音域の異なる別々のスピーカを配設する等、異なる構成にしてもよい。
【００５０】
・  前記各実施形態では、エンクロージャＥを備える第１膨出部３４ａを前枠１４の上部及び左右両側部に亘って形成したが、図８に示すように、さらに前枠１４の下部にも、第１膨出部３４ａを連続して形成し、エンクロージャＥを窓口３３を囲むように形成してもよい。この場合、例えば図７に示すようなエンクロージャＥの上部中央に設けたバスレフダクト２７と同様のバスレフダクト及び同ダクトに連なる第５音放出口２１をエンクロージャＥの下部中央に設けてもよい。
【００５１】
・  また、正面視逆Ｕ字状に形成された第１膨出部３４ａにおいて、エンクロージャＥを前枠１４の上部及び左右何れかの側部に亘ってのみ形成するようにしてもよい。さらに、少なくともエンクロージャＥに対応した第１膨出部３４ａを前枠１４の上部及び左右何れかの側部に亘ってのみ形成してもよい。
【００５２】
・  前記第１，第２実施形態において、中高音用のスピーカユニット２３，２５に加えて低音用のスピーカユニットをエンクロージャＥに配設するようにしてもよい。
【００５３】
・  前記第３実施形態では、中高音用の第１スピーカ２３と中低音用の第２スピーカ２５との組み合わせでマルチウェイタイプのスピーカシステムを構成したが、低音用のスピーカと中音用のスピーカ及び高音用のスピーカをエンクロージャＥ内に配設することでマルチウェイタイプのスピーカシステムを構成してもよい。この場合、中音用のスピーカと高音用のスピーカとで中高音用スピーカユニットが構成される。
【００５４】
・  前記各実施形態では、スピーカユニットとして、平面形スピーカユニットを用いたが、例えばコーン形スピーカユニット等、他の形態をなすスピーカユニットを用いてもよい。
【００５５】
・  前記各実施形態ではエンクロージャＥ内にスピーカユニット２３を、窓口３３を挟んだ左右両側部に１つずつ設けたが、何れか１つのみを設ける態様にしてもよい。
【００５６】
・  前記各実施形態では膨出部３４を第１及び第２膨出部３４ａ，３４ｂから構成し、第２膨出部３４ｂには、発光ランプ３６を設けたが、第２膨出部３４ｂを設けなくてもよい。
【００５７】
・  前記各実施形態では、膨出部３４を枠本体３２の前面側へ膨出形成したが、枠本体３２の前面側は平面状に形成し、膨出部３４を枠本体３２の裏面側へ膨出形成してもよい。また、前面側及び裏面側の双方へ膨出形成してもよい。
【００５８】
次に、上記実施形態及び各別例から把握できる技術的思想について、それらの効果と共に以下に追記する。
（１）請求項１に記載の遊技機用スピーカシステムにおいて、前記バスレフダクトは、前記スピーカ収容部内において延長屈折した迷路状のダクト構造をなしている遊技機用スピーカシステム。
【００５９】
（２）請求項１〜請求項３のうち何れか一項に記載の遊技機用スピーカシステムにおいて、前記スピーカ収容部は、前枠の上部及び左右両側部に亘って連続形成された膨出部内全体を連通するように形成されている遊技機用スピーカシステム。
【００６０】
【発明の効果】
以上詳述したように、本発明によれば、遊技機における機裏側のメンテナンス作業に支障を与えることなく、当該遊技機が備えるスピーカ装置の高音質化を図ることができる。
【図面の簡単な説明】
【図１】スピーカシステムが搭載されるパチンコ遊技機の正面図。
【図２】前枠を示す正断面図であり、且つ図４（ａ）におけるＣ−Ｃ線断面図。
【図３】前枠を示す斜視図。
【図４】（ａ）は図１におけるＡ−Ａ線断面図、（ｂ）は図１におけるＢ−Ｂ線断面図。
【図５】第１実施形態のスピーカシステムの概略側断面図。
【図６】第２実施形態のスピーカシステムの概略側断面図。
【図７】第３実施形態のスピーカシステムの概略側断面図。
【図８】別例の前枠を示す正断面図。
【符号の説明】
Ｅ…エンクロージャ（スピーカ収容部）、１０…遊技機、１４…前枠、２０…第２音放出口（バスレフポート）、２３…平面形スピーカユニット（中高音用スピーカユニット）、２７…バスレフダクト、３４…膨出部。
【図１】
0004691288.tif 000002
【図２】
0004691288.tif 000003
【図３】
0004691288.tif 000004
【図４】
0004691288.tif 000005
【図５】
0004691288.tif 000006
【図６】
0004691288.tif 000007
【図７】
0004691288.tif 000008
【図８】
0004691288.tif 000009